(57)【要約】【課題】  高いレベルで原水の濾過を行うことはもちろんのこと、浄水器本体の小型化、メンテナンス性の向上等、より一層、使い勝手を向上させた新規な浄水器を提供する。【解決手段】  プレフィルタ２とメインフィルタ３とを具えた濾過機構１Ａによって、主に原水Ｗに含まれる不純物を除去する装置であって、浄化後の処理済水Ｐは貯留することなく、そのまま使用するものであり、またメインフィルタ３は、孔径約0.0001μｍ程度の逆浸透膜フィルタをフィルタ要素として具え、処理済水Ｐを取り出すにあたっては、濾過機構１Ａから適宜の長さのチューブ１６によって接続されたフォーセット５から取り出すものであり、またこのフォーセット５は、シンク等の設置部位に対し、取り付け・取り外しが容易に行える固定手段６を有することを特徴とする。【選択図】図４
2006102621.tif 000002
【特許請求の範囲】
【請求項１】
プレフィルタとメインフィルタとを具えた濾過機構によって、主に原水に含まれる不純物を除去する浄水器であって、
前記濾過機構によって浄化された処理済水は、貯留されることなく、そのまま使用されることを特徴とする浄水器。
【請求項２】
前記メインフィルタは、孔径約0.0001μｍ程度の三本の逆浸透膜フィルタをフィルタ要素として具えることを特徴とする請求項１記載の浄水器。
【請求項３】
前記濾過機構は、プレフィルタ及びメインフィルタが、ほぼ鉛直に設置されることを特徴とする請求項１または２記載の浄水器。
【請求項４】
前記処理済水は、前記濾過機構から適宜の長さのチューブによって接続されたフォーセットから取り出されるものであり、フォーセットに設けられた開閉栓を操作することによって、処理済水の出水、止水等を行うようにしたことを特徴とする請求項１、２または３記載の浄水器。
【請求項５】
前記フォーセットは、シンク等の設置部位に対し、取り付け・取り外しが容易に行える固定手段を有することを特徴とする請求項４記載の浄水器。
【請求項６】
前記濾過機構やフォーセットにおける各構成部材の接続部は、部材を回転させることなく差し込むだけで接続が行えるようにしたことを特徴とする請求項１、２、３、４または５記載の浄水器。
【請求項７】
前記濾過機構は、底部が受け皿状に形成されるとともに、そのほぼ中央部が最も低くなるように形成されることを特徴とする請求項１、２、３、４、５または６記載の浄水器。
【発明の詳細な説明】
【技術分野】
【０００１】
本発明は、例えば一般家庭において用いられる浄水器に関するものであって、高い浄化性能を有することはもちろん、生成した処理済水を貯留することなく単位時間当たりの生成処理済水の量（吐水量）を充分に確保できるようにし、また濾過フィルタの管理やメンテナンスも容易に行え、より一層使い勝手を向上させた新規な浄水器に係るものである。
【背景技術】
【０００２】
浄水器は、大別すると、蛇口に取り付ける簡易式のものと、浄水器本体となる濾過機構をシンクの下部空間等に収納する比較的大型のものがある。このうち比較的大型のものは、浄化性能に重点が置かれる反面、単位時間当たりの濾過量（浄化処理済水の生成量であり、以下、吐水量とする）が少なくなる傾向にあり、処理済水をタンクやピッチャー等に貯留するものがほとんどであった。しかしながら、このような貯留式のものは、タンク等に貯留されていた水を使い切ってしまった場合には、新たに溜めるまでに相当の時間が掛かり、必ずしも必要な時に必要な量の処理済水が得られないという問題があった。また逆に、生成された処理済水を、長時間、タンク等に貯留しておいた場合には、タンク内部に雑菌が繁殖することが懸念されていた。
【０００３】
このようなことから、本出願人は、濾過性能の向上を図りながら、タンクレス化、充分な吐水量の確保、フィルタ管理の簡素化等を達成する浄水器の開発を試み、特許出願に至っている（特許文献１参照）。
【０００４】
この特願２００２−３３７２１６は、生成した処理済水をタンクやピッチャー等に貯留することなく、またメンテナンス等も行いやすくした点で相応の効果を有するものであった。しかしながら、この種の浄水器にあっては更なるコンパクト化等を含め、より一層の使い勝手の向上等が常に求められていた。
【特許文献１】特願２００２−３３７２１６
【発明の開示】
【発明が解決しようとする課題】
【０００５】
本発明は、このような背景を認識してなされたものであって、高いレベルで原水の濾過を行うことはもちろんのこと、浄水器本体の小型化、メンテナンス性の向上等、より一層、使い勝手を向上させた新規な浄水器の開発を試みたものである。
【課題を解決するための手段】
【０００６】
すなわち請求項１記載の浄水器は、プレフィルタとメインフィルタとを具えた濾過機構によって、主に原水に含まれる不純物を除去する浄水器であって、前記濾過機構によって浄化された処理済水は、貯留されることなく、そのまま使用されることを特徴として成るものである。
この発明によれば、必要なときに必要な量の処理済水を生成する仕様であるため、タンクやピッチャー等に処理済水を貯留する必要がなく、従って貯留時に起こり得る雑菌の繁殖の心配もない。
【０００７】
また請求項２記載の浄水器は、前記請求項１記載の要件に加え、前記メインフィルタは、孔径約0.0001μｍ程度の三本の逆浸透膜フィルタをフィルタ要素として具えることを特徴として成るものである。
この発明によれば、高い濾過性能を有した浄水器を現実のものとする。具体的には、孔径約0.0001μｍ程度の三本の逆浸透膜フィルタを濾過機構のメインとしているため、これよりも大きい径のトリハロメタン（約 0.00038μｍ程度）、病原性生物Ｏ−１５７（約 3μｍ程度）、水銀（約 0.00041μｍ程度）、カドミウム（約 0.00035μｍ程度）等を確実に捕捉することができる。
【０００８】
更にまた請求項３記載の浄水器は、前記請求項１または２記載の要件に加え、前記濾過機構は、プレフィルタ及びメインフィルタが、ほぼ鉛直に設置されることを特徴として成るものである。
この発明によれば、濾過機構の実質となるプレフィルタ及びメインフィルタが縦型に設置されるため、濾過機構をコンパクトなものにでき、例えばシンクの上部に載置しても、キッチンでの作業（調理）を阻害することがない。因みに濾過機構をシンクの上部に設置した場合には、シンクの下部空間に収納した場合に比べ、メンテナンス等が行いやすくなる。
【０００９】
また請求項４記載の浄水器は、前記請求項１、２または３記載の要件に加え、前記処理済水は、前記濾過機構から適宜の長さのチューブによって接続されたフォーセットから取り出されるものであり、フォーセットに設けられた開閉栓を操作することによって、処理済水の出水、止水等を行うようにしたことを特徴として成るものである。
この発明によれば、チューブを介してフォーセットと濾過機構（本体）とを独立して構成するため、本体を設置した場所以外でも、処理済水を取り出すことができる。すなわち、チューブが届く範囲であれば、キッチンに限らず、どこでも浄水器の使用を可能とする。
【００１０】
また請求項５記載の浄水器は、前記請求項４記載の要件に加え、前記フォーセットは、シンク等の設置部位に対し、取り付け・取り外しが容易に行える固定手段を有することを特徴として成るものである。
この発明によれば、着脱が容易に行える固定手段によって、フォーセットを適宜の場所において安定した状態で使用できる。また処理済水を取り出すにあたり開閉栓を操作する場合、フォーセットが移動ないしは転倒してしまうことがなく、確実に開閉栓の操作が行える。更にフォーセットを取り付ける面、例えばシンク等には、取付用の孔（穴）を開ける必要がなく、シンク等をそのままの状態で使用できる。
【００１１】
また請求項６記載の浄水器は、前記請求項１、２、３、４または５記載の要件に加え、前記濾過機構やフォーセットにおける各構成部材の接続部は、部材を回転させることなく差し込むだけで接続が行えるようにしたことを特徴として成るものである。
この発明によれば、例えばチューブを継手部材に接続する作業が、差し込むだけのワンタッチ動作で行えるため、チューブを含む各構成部材の接続作業（組付作業）や、フィルタの交換作業が能率的に行える。
【００１２】
また請求項７記載の浄水器は、前記請求項１、２、３、４、５または６記載の要件に加え、前記濾過機構は、底部が受け皿状に形成されるとともに、そのほぼ中央部が最も低くなるように形成されることを特徴として成るものである。
この発明によれば、水が漏洩した場合には、漏洩水を必然的に濾過機構の底部中央部に集めることができるため、底部中央部に水を感知するセンサーを設けることにより、確実に水漏れを感知できる。更にセンサーの情報に基づき、強制的に浄水器の運転を停止させることができる。
【発明の効果】
【００１３】
本発明によれば、高い浄化性能を有するとともに、実用上、充分な量の吐水量を確保することができる。また開閉栓１５を具えたフォーセット５を、濾過機構１Ａからチューブ１６で接続することにより独立して設け、またフォーセット５には着脱容易な固定手段６を設けることに等により、極めて使い勝手の良い浄水器１を実現できる。
【発明を実施するための最良の形態】
【００１４】
本発明の最良の形態は、以下の実施例に述べるとおりである。
【実施例】
【００１５】
本発明の浄水器１は、例えば一般家庭等において水道水を濾過対象とするものである。ここで、処理対象となる水（ここでは水道水）を原水Ｗとし、これが浄水器１によって濾過されピュアな状態となったものを処理済水Ｐとする。また濾過が完全に終了していない、浄化途中のものを中間処理水Ｗ１とする。
そして本発明の浄水器１は、一例として図２、４に示すように、プレフィルタ２と、メインフィルタ３とを濾過機構１Ａの実質とする。このうちプレフィルタ２は、原水Ｗの予備的な濾過作用を担うものであり、メインフィルタ３は、プレフィルタ２を通り抜けた不純物を捕捉する作用を担うものである。そして、原水Ｗは、これらによって、ほぼ完全に浄化された後、最終的に、濾過機構１Ａ（本体）とは独立したフォーセット（faucet）５から取り出される。
【００１６】
なおメインフィルタ３の後段に、主に残留臭気等を除去するポストフィルタ４を設け、浄化された水をより一層、美味しく（まろやか、マイルド）することも可能である（図６参照）。
因みに図１では、浄水器１の本体となる濾過機構１Ａが比較的小型であり、メンテナンス性等も考慮して、濾過機構１Ａをシンク（流し）上に載置した形態を図示したが、必ずしもこのような形態に限定されるものではなく、シンクの下部空間等に収納しても構わない。以下、各フィルタ及びフォーセット５等について更に説明する。
【００１７】
まずプレフィルタ２について説明する。このものは、原水Ｗ（水道水）に不可避的に含まれる不純物のうち、比較的粒径の大きいものの通過を阻止し、これを除去するものである。すなわちプレフィルタ２は、メインフィルタ３に先立ち、原水Ｗの事前濾過を行うものであり、言わば目の荒い篩様の作用を担っている。
【００１８】
プレフィルタ２は、例えばカーボンフィルタ１１をフィルタ要素として具えて成るものであり、主に 5μｍ程度までの不純物（粒子）を捕捉するため、例えば水道水に初めから含まれてしまう鉄錆や汚れ（沈殿物、微粒子）等が、ここで取り除かれる。またカーボンフィルタ１１は、活性炭濾過のため原水Ｗが有する塩素臭（カルキ臭）、カビ臭、ドブ臭等を除去する作用をも担っている。
なお、本実施例では、一本のカーボンフィルタ１１によって、プレフィルタ２を構成するが、この数は適宜変更可能であり、例えば後述する図６では、二本のカーボンフィルタ１１を並列状に配置し、プレフィルタ２を構成している。またプレフィルタ２は、必ずしもカーボン（活性炭）を適用するだけでなく、ゼオライト等の適用も可能である。
【００１９】
次にメインフィルタ３について説明する。このものは、プレフィルタ２を通過した中間処理水Ｗ１から、ほぼ完全に不純物を除去し、ピュアな状態の処理済水Ｐを得るものであり、ここではフィルタ要素として三本の逆浸透膜フィルタ１２（いわゆるＲＯ方式、ＲＯは [Reverse Osmosis]の略）を適用している。
この三本の逆浸透膜フィルタ１２は、例えば図４に示すように、二本の逆浸透膜フィルタ１２（これを１２Ａ、１２Ｂとする）と、一本の逆浸透膜フィルタ１２（これを１２Ｃとする）とを直列状態に接続して成るものである。具体的には、プレフィルタ２によって事前濾過された中間処理水Ｗ１が、二本の逆浸透膜フィルタ１２Ａ、１２Ｂに並行に送り込まれ、ここからのドレンＤを再度もう一つの逆浸透膜フィルタ１２Ｃに送り、濾過するものである。
そして二本の逆浸透膜フィルタ１２Ａ、１２Ｂによって濾過された清浄水（処理済水Ｐ）は、逆浸透膜フィルタ１２Ｃを通過した清浄水（処理済水Ｐ）と合流して、フォーセット５へと送られる。更に逆浸透膜フィルタ１２ＣからのドレンＤは、後述する自動洗浄弁２８を経由して排水される。なおこのような構成によって、自動洗浄弁２８に送られる最終的なドレンＤの量（廃棄水量）を減少させ得る効果がある。
【００２０】
ここで前記逆浸透膜フィルタ１２の構造について説明する。逆浸透膜フィルタ１２は、例えば図５に示すように、略円筒状の外郭部材１２１に対してフィルタ本体１２２を内蔵した構造を採るものであり、フィルタ本体１２２は、ほぼ真っ直ぐに形成された管状軸芯部１２３と、その周囲に設けられ実質的に濾過作用（浄化作用）を担う濾過本体１２４とを具えて成るものである。
濾過本体１２４は、超薄膜状のフィルム（逆浸透膜）が管状軸芯部１２３の周囲に多層状態に巻回されて成るものであり、逆浸透膜には不純物を除去するための小孔（濾過孔）が多数開口されている。また、管状軸芯部１２３にも、処理済水Ｐの吐出口（後述する取出口１２６）側に逆浸透膜によって濾過した水を通すための小孔が開口されている。
ここで逆浸透膜フィルタ１２において、中間処理水Ｗ１が送り込まれる部位を取込口１２５、濾過した処理済水Ｐを取り出す部位を取出口１２６、逆浸透膜によって捕捉した不純物等を水（中間処理水Ｗ１）とともに吐き出す部位を排水口１２７とする。
そして取込口１２５から逆浸透膜フィルタ１２内に供給された中間処理水Ｗ１は、濾過本体１２４（逆浸透膜）の一端側（図５では上端側）から送り込まれた後、濾過本体１２４内を通過しながら中心部分である管状軸芯部１２３に移送され、取出口１２６（図５では下側）から処理済水Ｐとして取り出される。
【００２１】
このように中間処理水Ｗ１は、積層状態に巻回された濾過本体１２４あるいは管状軸芯部１２３を通り抜ける間に不純物が捕捉されるが、不純物の多くは、濾過本体１２４つまり積層状態の逆浸透膜の間に残留する。この残留物を、そのまま放置すると、濾過本体１２４に目詰まりが生じ、逆浸透膜フィルタ１２の浄化機能が低下することは避けられないため、本実施例では、逆浸透膜フィルタ１２を使用の前後において、適宜の時間、取出口１２６を閉鎖して、排水口１２７から水（中間処理水Ｗ１）を排水するようにしている。これによって、逆浸透膜の間に残留した不純物が、排水（中間処理水Ｗ１）とともに排水口１２７からフィルタ外に流出し、逆浸透膜フィルタ１２の目詰まりが効果的に防止できる。なお、このような不純物除去作業つまり取出口１２６を閉鎖した状態での中間処理水Ｗ１の供給（圧送）は、本実施例では、逆浸透膜フィルタ１２を使用した後の１０秒間程度と、使用前の５秒間程度行うが、これは使用前後のどちらか一方でも構わない。そして本実施例では、このような除去作動を、自動洗浄弁２８によって、自動的に行うようにしている（いわゆるオートフラッシング）。もちろん中間処理水Ｗ１自体も、既にプレフィルタ２によって、予め大きめの不純物が除去された状態で逆浸透膜フィルタ１２（メインフィルタ３）に供給されるため、この点では上記プレフィルタ２も逆浸透膜フィルタ１２の目詰まり防止作用を担っているとも言える。
【００２２】
なお、上記逆浸透膜フィルタ１２（メインフィルタ３）における逆浸透膜の孔の大きさは、一例として約0.0001μｍ程度が望ましい。これは、発癌性物質と言われているトリハロメタンの大きさが約 0.00038μｍ程度、病原性生物Ｏ−１５７の大きさが約 3μｍ程度、水俣病の原因として知られている重金属の水銀の大きさが約 0.00041μｍ程度、イタイイタイ病の原因とされているカドミウムの大きさが約 0.00035μｍ程度であり、これらを捕捉できるように（透過させないように）するためである。もちろんカルシウム、マグネシウム等のミネラル分はそのまま通過させるものである。因みにメインフィルタ３は、一例としてアメリカダウケミカル社製の１００ガロン規格メンブレムフィルタが適用される。
なお従来の浄水器に多く用いられていた中空糸膜の孔は、約 0.1μｍ程度であり、トリハロメタン、水銀、カドミウム等、この孔径に満たない不純物の捕捉は必然的に行い得ないものであった。
【００２３】
またメインフィルタ３を三本の逆浸透膜フィルタ１２で構成したのは、タンク等を要することなく、充分な処理済水量を確保するためであり、これによって吐水量としては、約１．８〜３．６Ｌ／分程度確保でき、これはタンクやピッチャー等に処理済水Ｐを貯留しなくても、実用的な使用に充分供し得る量である。
なお上述したフィルタは、使用（濾過）に伴い汚れるものであり、また濾過機能も衰えてくるため、適宜の期間で交換する必要がある。
【００２４】
そして本実施例では、このようなフィルタ要素（カーボンフィルタ１１、逆浸透膜フィルタ１２Ａ、１２Ｂ、１２Ｃの計四本）を、一例として図２に示すように、ほぼ鉛直状態に並設するものであり、このような構成を採ることによって濾過機構１Ａをコンパクトに形成し、比較的狭いスペースにも容易に設置できるようにしている。すなわち濾過機構１Ａのコンパクト化を図ることにより、例えば限られたスペースであるシンクの上部に濾過機構１Ａを載置しても、調理等の作業を、ほとんど阻害しないものである。なお浄水器１をシンクの上部等に置くことにより、例えば浄水器１のメンテナンスや清掃等を行う際に、身体を屈めなくて良く、これらの作業が行いやすくなるものである。
【００２５】
次に、フォーセット５について説明する。このものは、濾過機構１Ａによって濾過された処理済水Ｐを最終的に取り出す部位であり、一例として図３に示すように、通常の蛇口と同様に、ハンドル状等の開閉栓１５を有し、これを適宜操作して、処理済水Ｐの出水や止水、あるいは流量調整（吐水量調整）等を行うものである。なお本実施例では、このようなフォーセット５を、一例として３ｍ程度のチューブ１６を介して、上記濾過機構１Ａと接続しており、フォーセット５を濾過機構１Ａから充分離した位置でも使用できるようにしている。
【００２６】
また、このように濾過機構１Ａから分離、独立して設けられるフォーセット５には、シンク面等への取り付け・取り外しが容易に行える固定手段６を設けることが望ましい。ここでは、このような固定手段６としてフォーセット５の底部に一例として２個の吸盤１７を設け、滑らかな面なら、フォーセット５をどこにでも取り付けられるようにしている。
【００２７】
このような構成により、浄水器１の本体である濾過機構１Ａをシンク等に固定設置したままでも、適宜フォーセット５を移動させることができ、チューブ１６が届く範囲内であれば、どこでも浄水器１を使用することができる。すなわち、例えばリビングルームでのホームパーティーや庭でのバーベキュー等、キッチン以外の場所において、浄水器１の使用を容易なものとする。因みに従来は、キッチン以外の場所において飲料水を使用する場合には、水差しなどに酌み置くことが多かった。
【００２８】
またフォーセット５は、吸盤１７によりシンクやテーブル等に吸着させた安定状態で使用できるため、開閉栓１５を操作する際、フォーセット５が移動ないしは転倒してしまうようなことがなく、開閉操作や流量調整が確実に行える。なおフォーセット５の取り付けは、ほぼ水平なシンク面上に取り付けるだけでなく、滑らかな部位であれば、壁面等に取り付けることも可能である。
【００２９】
また従来、このようなフォーセット５をシンク近辺に取り付けるには、固定用のボルト孔（穴）をシンクに開けるのが一般的であったが、本実施例では、例えば吸盤１７等で固定する手法を採るため、このような固定用の孔をシンク等に開ける必要がない。このためフォーセット５を一旦取り付けた後、この場所を変更したい場合であっても、シンクに固定用の孔（孔跡）を残すことなく、シンクを綺麗な状態でそのまま使用できる。
因みに、従来、蛇口は、シンクに固定設置されるのが、一般的な固定概念であったが、本実施例では、通常の蛇口に相当するフォーセット５を移動できるようにし、しかも固定手段６により安定状態で使用できるようにしており、これは単なる蛇口という概念を大きく越えた極めて画期的な発想である。
【００３０】
以下、上述したフィルタやフォーセット５以外の構成部材（補機類）について説明する。
まず図４中に示す符号２０は、原水Ｗの供給部であり、ここでは水道管（給水管）の一部（通常の蛇口付近）から原水Ｗが浄水器１側に導入される。図中符号２１は、低電圧スイッチであり、後述するブースターポンプ２２の暴走を防ぐためのものである。図中符号２２は、ブースターポンプであり、メインフィルタ３に供給される中間処理水Ｗ１の水圧を高め、ＲＯの濾過効果を高めるためのものである。図中符号２３は、圧力メータである。図中符号２４は、自動断水用の電磁弁であり、自動的に原水Ｗの供給を止めるためのものである。図中符号２５は、高電圧スイッチである。図中符号２６は、水質計であり、メインフィルタ３を通過した処理済水Ｐの純度を自動測定するためのものである。図中符号２７は、処理済水Ｐの自動供給弁である。図中符号２８は、自動洗浄弁であり、上述したように運転停止前後（前後またはどちらか一方）、フィルタ内に溜まった不純物を水とともに自動排出しフィルタの目詰まりを防ぎ、濾過性能の維持を図るものである。
【００３１】
また上述したフィルタや補機類等を接続するにあたっては、継手部材ＪやチューブＴが多用されるものであり、従来、このような接続においては、ネジ式、すなわち継手部材Ｊを回転させて、例えばチューブＴをフィルタ等に接続する手法が多く採られていた。しかしながら、このようなネジ式による接続手法では、例えばフィルタを交換する際、チューブＴ（継手部材Ｊ）の取り外し及び取り付けに、部材を回転させなければならず、これが煩雑な作業となっていた。このため、本実施例では、継手部材Ｊを回転させることなく、チューブＴを長手方向（軸方向）に差し込んだり、引き抜いたりするワンタッチ操作のみで、チューブＴ等の接続やその解除が行えるようにしている。
【００３２】
以下、このようなワンタッチタイプの、いわゆるコレットチャック式の接続手法について説明する。なお説明にあたっては、接続部７として、例えば図２に示すような、継手部材ＪとチューブＴとの組み合わせを例に挙げて説明する。
【００３３】
継手部材Ｊは、主要部材となる継手本体Ｂに対し、リリースブッシュＲを幾らか摺動できるように内嵌めして成り、チューブＴは、このリリースブッシュＲを貫通するように差し込まれる。ここでリリースブッシュＲは、継手本体Ｂへの挿入側に、チューブＴのチャッキング作用を担う掛止片が形成されるとともに、継手本体Ｂは、内面がテーパ状に形成されており、リリースブッシュＲがチューブＴの引き抜き方向に移動した際に、掛止片をチューブＴに食い込ませ、チューブＴの強固な保持（抜け止め）を図っている。これによって、チューブＴと継手部材Ｊとは、その接続が維持される。なお、継手部材Ｊに接続したチューブＴを外す場合には、リリースブッシュを継手本体Ｂ側に当接させるように移動させ、掛止片の食い込みを解除してから、チューブＴを引き抜くものである。
【００３４】
また、ここでは、チューブＴを継手部材Ｊに接続する場合を例に挙げて説明したが、このようなワンタッチタイプの接続手法は、構成部材と継手部材Ｊとを接続する場合や、継手部材Ｊと継手部材Ｊとを接続する場合等にも適用できるものである。また、これに因み、上記接続手法は、フィルタ部以外の接続部７にも適用することができ、これにより浄水器１の組み付け性を向上させ得るものである。
【００３５】
またフィルタを交換するタイミングについては、原水Ｗの清浄度（例えば水道水の場合、一般に都会である程、ＴＤＳ〔全液含有濃度〕が高く、清浄度が低い）に応じて、予めトータルの濾過時間を設定しておき、これに基づいて交換時期を管理することが可能である。具体的には原水Ｗの状況によって濾過できるトータルの許容時間（例えば１３０００分）を入力し、この限界時間が迫ったら（例えば残り１００分）、警告灯や警告音等で使用者（管理者）に告知する形態が採り得る。もちろん濾過の残留時間は、使用者が常に目視できるように液晶等によって表示されることが好ましく、このような点においても、濾過機構１Ａをシンク上部に設置する形態が好ましい。因みに図２に示す符号２９が、濾過の残留時間を示す液晶表示装置（いわゆるＬＣＤ：liquid Crystal Display）である。
【００３６】
またフィルタの交換が行われないまま、許容されたトータルの濾過時間が経過した場合を考慮して、電磁弁２４によって、自動的に原水Ｗの供給をストップさせる形態が採り得る。もちろん電磁弁２４は、このような場合の自動断水のみならず、浄水器１の不慮の停止、あるいは水質計２６のデータから所望の純度が得られていない場合等に給水を停止させることも可能である。
【００３７】
更にまた本実施例では、例えば上述した接続部７等からの水漏れを感知した場合に、運転を強制的にストップする水漏れ防止機能を有する。これには、一例として図２に示すように、まず濾過機構１Ａの底部３０を受け皿状に形成しておき、水が漏洩した場合、ここで受けられるようにする。またこの受け皿状の底部３０は、中央部が最も低くなるように形成し、ここに水（漏洩水）を感知するセンサーを設置する。このような構成により、水が漏洩した場合には、必ず底部３０の中央部（センサー位置）に水を集めるようにし、これを即座に感知するものである。
【００３８】
なお図２では、濾過機構１Ａの底部３０を正面から見ても、側面から見ても、真ん中、すなわち中央部が低くなるよう、傾斜状態に形成したが、漏洩水を検出するセンサーの取付位置は、必ずしも底部３０の中央部でなくても良く、どこか一カ所を低く形成し、そこにセンサーを設置することも可能である。
また漏洩水を感知したことによる給水停止は、上述したように、前記電磁弁２４によって行い得るものである。
【００３９】
更にまた、長期旅行等、比較的長い期間、浄水器１を使用しない状態で放置する場合に具え、電源が入らないようにするＯＮ−ＯＦＦスイッチを浄水器１に設けることが可能である。また、このスイッチによって、例えば待機電力の消費量を軽減することができる。
【００４０】
なお、本発明の浄水器１による濾過効果、例えば水道水を濾過した場合の浄化性能は、極めて優れており、上記特願２００２−３３７２１６と同様もしくはそれ以上であることが、本出願人によって確認されている。
〔他の実施例〕
【００４１】
本発明は以上述べた実施例を一つの基本的な技術思想とするものであるが、更に次のような改変が考えられる。すなわち先の図１〜４に示した実施例では、二本の逆浸透膜フィルタ１２Ａ、１２Ｂと、一本の逆浸透膜フィルタ１２Ｃとを直列状態に接続する形態を採ったが、例えば図６に示すように、三本の逆浸透膜フィルタ１２を並列に接続して、メインフィルタ３を構成することも可能である。因みに、この図では、プレフィルタを複数（２本）で構成し、更にポストフィルタ４を入れて構成している。
【００４２】
また先に述べた基本の実施例では、一基の濾過機構１Ａに対し一つのフォーセット５を設けるものであったが、フォーセット５は一基の濾過機構１Ａに対し複数設けることが可能である。因みに図１は、本来、キッチンに常設していたフォーセット５を適宜ダイニングテーブルに移動させる状況を図示したものであるが、フォーセット５を予めキッチンとダイニングとの双方に設け、両位置で処理済水Ｐを使用するような形態も可能である。
更にまた上述した基本の実施例では、フォーセット５をシンク等に容易に着脱する固定手段６として吸盤１７を適用したが、固定手段６は、必ずしも吸盤１７に限定されるものではなく、電磁チャックやクランプの適用も可能である。因みにクランプは主にテーブルなどの板状部材に挟んでフォーセット５を固定する際に好適である。
【００４３】
また上述した基本の実施例では、水道水を濾過対象としたが、例えば災害緊急時や屋外でのキャンプや釣り（いわゆるアウトドア）等にあっては、河川、池、湖沼あるいは海水等の水を濾過対象とし、飲料水や調理水を確保することも可能である。因みに本実施例の浄水器１は、一例として図２に併せて示すように、プラグＰＬを家庭用コンセントに差し込み、これによって交流１００Ｖを得て、稼動させるものであり（実際には、この後、アダプターＡＤにより交流１００Ｖを直流２４Ｖ等に変換して浄水器１に給電する）、このような形態に因み、自動車のシガーソケットからインバータを介して直流１２Ｖを交流１００Ｖに変換して、浄水器１を稼動させることも可能である。特に、災害緊急時には、上水道の復旧までに長時間を要することが考えられるため、シガーソケットから電源を取り出す上記方法は、プールやため池の水、あるいは防火用水、風呂の残り水等、身近な水源からでも安心且つ確実な飲料水を迅速に確保できるものであり、実用性の高い飲料水生成方法（浄水器１）である。
【図面の簡単な説明】
【００４４】
【図１】本発明の浄水器の設置態様及び使用状況を併せ示す斜視図である。
【図２】浄水器の本体となる濾過機構を示す斜視図である。
【図３】濾過機構とは別に設けられるフォーセットと、その固定手段を併せ示す説明図である。
【図４】浄水器の濾過態様の一例を示すフローチャートである。
【図５】逆浸透膜フィルタの内部構造を示す縦断面図（ａ）、並びにフィルタ本体を示す斜視図（ｂ）である。
【図６】主にメインフィルタの構成を異ならせた、浄水器の他の実施例を示すフローチャートである。
【符号の説明】
【００４５】
１        浄水器
１Ａ      濾過機構（本体）
２        プレフィルタ
３        メインフィルタ
４        ポストフィルタ
５        フォーセット
６        固定手段
７        接続部
１１      カーボンフィルタ
１２      逆浸透膜フィルタ
１２Ａ    逆浸透膜フィルタ
１２Ｂ    逆浸透膜フィルタ
１２Ｃ    逆浸透膜フィルタ
１５      開閉栓
１６      チューブ
１７      吸盤
２０      供給部
２１      低電圧スイッチ
２２      ブースターポンプ
２３      圧力メータ
２４      電磁弁
２５      高電圧スイッチ
２６      水質計
２７      自動供給弁
２８      自動洗浄弁
２９      液晶表示装置
３０      底部
１２１    外郭部材
１２２    フィルタ本体
１２３    管状軸芯部
１２４    濾過本体
１２５    取込口
１２６    取出口
１２７    排水口
ＡＤ      アダプター
Ｂ        継手本体
Ｄ        ドレン（廃棄水）
Ｊ        継手部材
Ｐ        処理済水
ＰＬ      プラグ
Ｒ        リリースブッシュ
Ｔ        チューブ
Ｗ        原水
Ｗ１      中間処理水
【図１】
2006102621.tif 000003
【図２】
2006102621.tif 000004
【図３】
2006102621.tif 000005
【図４】
2006102621.tif 000006
【図５】
2006102621.tif 000007
【図６】
2006102621.tif 000008